(57)【特許請求の範囲】
【請求項１】
基礎梁上に所定間隔で並んだ左右２列のＰＣａ柱を建て込む工程と、
左右に並んだ前記ＰＣａ柱の上端にＰＣａ縦梁の両端を支持してこのＰＣａ縦梁を架設する工程と、
左右両端がＰＣａ柱上に支持されるＰＣａ横梁の左右両側に前記ＰＣａ柱の上端位置と対応する空間を隔てて配置されると共に横梁主筋を介して前記ＰＣａ横梁に連結されたＰＣａ張り出し梁を添え材に拘束してから、この添え材ごと前記ＰＣａ横梁とＰＣａ張り出し梁の連結体を揚重して左右に並んだ前記ＰＣａ柱上に架設する工程と、
列方向に並んだ前記ＰＣａ横梁間にハーフＰＣａスラブを架設し、列方向に並んだ前記ＰＣａ張り出し梁間にＰＣａ張り出しスラブを架設する工程と、
前記ＰＣａ横梁とＰＣａ張り出し梁の間の空間及び前記ハーフＰＣａスラブ上に後打ちコンクリートを打設する工程と、
からなることを特徴とするＰＣａコンクリート部材を用いた高架橋の施工法。
【請求項２】
請求項１の記載において、
ＰＣａ縦梁の架設及びＰＣａ横梁とＰＣａ張り出し梁の連結体の架設の際に、
前記ＰＣａ横梁とＰＣａ張り出し梁との間の空間に、ＰＣａ柱の上端から突出した柱主筋の端部と、ＰＣａ縦梁の両端から突出した縦梁主筋の端部が挿入されることを特徴とするＰＣａコンクリート部材を用いた高架橋の施工法。
【請求項３】
請求項１又は２の記載において、
列方向に並んだ各ＰＣａ張り出し梁の互いの対向面にはＰＣａ張り出しスラブを掛合支持する段差部が形成されていることを特徴とするＰＣａコンクリート部材を用いた高架橋の施工法。
【請求項４】
請求項１乃至３のうちのいずれかの記載において、
基礎梁上面のＰＣａ柱建て込み位置には予め柱連結筋が突設されており、
ＰＣａ柱内に埋設された柱主筋の下端がこのＰＣａ柱の下端に形成された連結穴内に突設されており、
ＰＣａ柱の建て込みの際に前記連結穴内に挿入された前記柱連結筋が、前記連結穴内へ充填される無収縮モルタルを介して前記柱主筋の下端と連結されることを特徴とするＰＣａコンクリート部材を用いた高架橋の施工法。
【発明の詳細な説明】
【０００１】
【発明の属する技術分野】
本発明は、鉄筋コンクリート製の高架橋を、柱、梁、スラブにプレキャスト（以下、ＰＣａと略称する）コンクリート部材を用いて構築する技術に関するものである。
【０００２】
【従来の技術】
鉄筋コンクリート製のビームスラブ型の高架橋は、図１４及び図１５に示すように、地盤Ｇ上の基礎梁１０１と、この基礎梁１０１上にその延長方向へ一定の間隔で並んで設けられた左右の柱１０２と、この柱１０２上に架設され左右両側に張り出し部１０３ａを有するスラブ１０３とからなり、このスラブ１０３の下面に、前記左右の柱１０２の各列方向に延在された互いに平行な一対の縦梁１０３ｂと、両端が各柱１０２の上端位置で前記縦梁１０３ｂ，１０３ｂに直交した横梁１０３ｃが形成された構成を有する。このようなビームスラブ型の高架橋の施工法としては、コンクリートの現場打ちによる方法のほか、ＰＣａコンクリート部材を用いる方法がある。
【０００３】
図１６乃至図１９は、ＰＣａコンクリート部材を用いて上述の構造のビームスラブ型高架橋を構築する典型的な従来工法を示すものである。すなわちこの従来工法においては、まず図１６に示すように、所要の深さに掘り下げた地盤Ｇ上に鉄筋２０１（一部のみ図示）の配筋、型枠２０２の組立及びコンクリート２０３の打設を順次行い、このコンクリート２０３に所要の強度が発現されたら前記型枠２０２を撤去して周囲の土の埋め戻しを行うといった工程によって基礎梁１０１を施工する。
【０００４】
次に図１７に示すように、ＰＣａコンクリートからなる柱部材（以下、ＰＣａ柱という）２０４をクレーン等によって搬入し、基礎梁１０１上における幅方向両側位置に鉛直に建て込んで接合することにより柱１０２を施工する。このＰＣａ柱２０４は、基礎梁１０１の延長方向へ一定の間隔で並んで設けられる。なお、参照符号２０５はＰＣａ柱２０４を鉛直に支持するための仮設材である。
【０００５】
次に図１８に示すように、左右のＰＣａ柱２０４，２０４上に跨がって、ＰＣａコンクリートからなる横梁部材（以下、ＰＣａ横梁という）２０６及びＰＣａコンクリートからなる板材（以下、ハーフＰＣａスラブという）２０７を設置すると共に、基礎梁２０１の両側の地盤上にそれぞれ構築した支保工２０８上に、ＰＣａコンクリートからなる張り出し部材（以下、ＰＣａ張り出し部材という）２０９を設置し、ＰＣａ横梁２０６及びハーフＰＣａスラブ２０７上に鉄筋２１０を配筋する。そして次の図１９に示すように、前記鉄筋２１０の配筋空間に後打ちコンクリート２１１を打設し、この後打ちコンクリート２１１とＰＣａ柱２０４、ＰＣａ横梁２０６、ハーフＰＣａスラブ２０７及びＰＣａ張り出し部材２０９を互いに一体化することによって、先に説明した図１４，１５に示す高架橋が構築される。なお図１８及び図１９において、それぞれ（Ａ）は図１３におけるＡ−Ａ’位置に対応する部分での施工状況を示し、（Ｂ）は同Ｂ−Ｂ’位置に対応する部分での施工状況を示すものである。
【０００６】
【発明が解決しようとする課題】
上記従来工法によれば、予め工場生産されたＰＣａコンクリート製品を使用することによって、現場打ちコンクリートのみで施工する場合のような型枠組立工事、配筋工事、コンクリート養生、型枠撤去作業等が削減又は不要となるので、工期を短縮することができる。しかし、この工法においては、ＰＣａ張り出し部材２０９は、後打ちコンクリート２１１によって一体化されるまで支保工２０８によって支持する必要があり、このため、支保工２０８の構築や解体・撤去作業が新たに必要となる。しかも、基礎梁１０１の施工後はこの支保工２０８の設置のために周囲の土の埋め戻し作業を早期に行わなければならない。
【０００７】
本発明は、上記のような事情のもとになされたもので、その技術的課題とするところは、柱、梁、スラブにＰＣａコンクリート部材を用いて、両側に張り出し部を有する鉄筋コンクリート製の高架橋を構築する場合に、現場での型枠や支保工の施工をなくすことによって一層の省力化及び工期短縮を図ると共に、構築される高架橋の強度を向上することにある。
【０００８】
【課題を解決するための手段】
上述した技術的課題は、本発明によって有効に解決することができる。
すなわち本発明に係るＰＣａコンクリート部材を用いた高架橋の施工法は、基礎梁上に所定間隔で並んだ左右２列のＰＣａ柱を建て込み、次に左右に並んだ前記ＰＣａ柱の上端にＰＣａ縦梁の両端を支持してこのＰＣａ縦梁を架設し、左右両端がＰＣａ柱上に支持されるＰＣａ横梁の左右両側に前記ＰＣａ柱の上端位置と対応する空間を隔てて配置されると共に横梁主筋を介して前記ＰＣａ横梁に連結されたＰＣａ張り出し梁を添え材に拘束してから、この添え材ごと前記ＰＣａ横梁とＰＣａ張り出し梁の連結体を揚重して左右に並んだ前記ＰＣａ柱上に架設し、次に列方向に並んだ前記ＰＣａ横梁間にハーフＰＣａスラブを架設し、列方向に並んだ前記ＰＣａ張り出し梁間にＰＣａ張り出しスラブを架設してから、前記ＰＣａ横梁とＰＣａ張り出し梁の間の空間及び前記ハーフＰＣａスラブ上に後打ちコンクリートを打設する。
【０００９】
ＰＣａ柱、ＰＣａ縦梁、ＰＣａ横梁、ＰＣａ張り出し梁、ハーフＰＣａスラブ及びＰＣａ張り出しスラブは、工場生産されたプレキャスト製品であり、高強度・高品質のものを生産できる。このため、コンクリート成形後の乾燥・収縮がほぼ完了した状態で使用される。このため、現場打ちコンクリートで施工した場合のように、架橋構造体の表面にひび割れが発生するといったことがなく、耐久性の向上が図られると共に、精度良く施工できる。
【００１０】
ＰＣａ横梁とＰＣａ張り出し梁の連結体は、そのＰＣａ張り出し梁を予め拘束した添え材と共にＰＣａ柱の上に一度に架設される。前記連結体の架設後は、前記添え材が、前記ＰＣａ張り出し梁及びその上に架設されるＰＣａ張り出しスラブの荷重を支保する。このため、地盤上への支保工の構築によって前記ＰＣａ張り出しスラブやＰＣａ張り出し梁を支保する必要がない。また、ＰＣａ張り出しスラブは、列方向に並んだ各ＰＣａ張り出し梁の互いの対向面に形成された段差部上に掛合支持される構成とすることができる。
【００１１】
ＰＣａ柱と、ＰＣａ横梁及びＰＣａ張り出し梁と、ハーフＰＣａスラブと、ＰＣａ張り出しスラブは、後打ちコンクリートの打設によって互いに一体化され、これによって幅方向両側に張り出し部を有すると共に下面に縦梁及び横梁を有するスラブが形成される。この場合、例えばＰＣａ柱の上端に突設された柱主筋の端部と、このＰＣａ柱の上端に支持されたＰＣａ縦梁の両端から突出された縦梁主筋の端部が、ＰＣａ横梁とＰＣａ張り出し梁とを連結している横梁主筋と共に、前記ＰＣａ横梁とＰＣａ張り出し梁の間の空間に充填された後打ちコンクリートに埋設された状態になり、更に前記空間内の後打ちコンクリートは、ハーフＰＣａスラブ上に打設された後打ちコンクリートと連続しているため、強固に接合一体化される。なお、施工完了後はＰＣａ張り出し梁から添え材を取り外す。
【００１２】
また、基礎梁上へのＰＣａ柱の建て込みに際しては、基礎梁上面のＰＣａ柱建て込み位置には予め柱連結筋が突設され、一方ＰＣａ柱内に埋設された柱主筋の下端がこのＰＣａ柱の下端に形成された連結穴内に突設された構造とし、ＰＣａ柱の建て込みの際に前記連結穴内に挿入された前記柱連結筋が、前記連結穴内へ充填される無収縮モルタルを介して前記柱主筋の下端と連結されるモルタル充填継手構造とすることによって、作業が容易になると共に、所要の接合強度を得ることができる。
【００１３】
【発明の実施の形態】
図３乃至図１３は、本発明の一実施形態として、図１及び図２に示すようなビームスラブ型の高架橋を施工する方法を示すもので、図１は前記高架橋の概略構成を示す平面図、図２は図１におけるII−II線に沿って切断した断面図である。すなわちこの高架橋は、図１に示す状態を施工単位として施工されるもので、地盤Ｇ上の基礎梁１と、この基礎梁１上にその延長方向へ一定の間隔で並んで設けられた左右の柱２と、この柱２上に架設されスラブ本体部３ａ及びその左右両側に張り出し部３ｂを有するスラブ３とからなる。このスラブ３の下面には、前記左右の柱２の各列方向に延在された互いに平行な一対の縦梁３ｃと、両端が各柱２の上端位置で前記縦梁３ｃ，３ｃに直交した横梁３ｄと、前記張り出し部３ｂを支持する張り出し梁３ｅが突出形成されている。
【００１４】
この高架橋の施工においては、まず図３に示すように、従来と同様の方法によって、地盤Ｇに基礎梁１を施工し、ＰＣａ柱２０をクレーン（図示省略）等によって搬入し、基礎梁１の左右所定位置に鉛直に建て込む。ＰＣａ柱２０の内部には後述する柱主筋２２や肋筋等の各種鉄筋が埋設されている。なお、この実施形態における高架橋は図３に示す断面と直交する方向へ延びるように施工されるものであり、前記ＰＣａ柱２０は、架橋延長方向へ一定の間隔で左右２列に並んで建て込まれる。また、参照符号４は建て込んだＰＣａ柱２０を鉛直に支持するための仮設材である。
【００１５】
図４は、基礎梁１とその上に建て込まれたＰＣａ柱２０との接合部の構造を示すもので、（Ａ）は接合部の全体構造、（Ｂ）は（Ａ）におけるＢ矢視部の拡大図である。すなわち、基礎梁１の上面におけるＰＣａ柱２０の建て込み位置にはこの基礎梁１に埋設された鉄筋の一部である所要数の柱連結筋１１が突設されており、一方、ＰＣａ柱２０の下端には前記各柱連結筋１１と対応する位置に埋設されたスリーブ２１によって所要数の連結穴２１ａが形成され、ＰＣａ柱２０内に埋設された柱主筋２２の下端部２２ａがこれら各連結穴２１ａ内に突設され、柱主筋２２の上端部２２ｂがＰＣａ柱２０の上端から突出している。ＰＣａ柱２０の建て込みに際しては、基礎梁１の上面の各柱連結筋１１が前記各連結穴２１ａ内に挿入され、その後、連結穴２１ａ内へ無収縮モルタル２３を充填することによって、この無収縮モルタル２３を介して、連結穴２１ａ内で柱主筋２２の下端部２２ａと柱連結筋１１が強固に連結される。
【００１６】
次に図５に示すように、左右の列方向に並んだ各ＰＣａ柱２０の上端にＰＣａ縦梁３３を架設する。このＰＣａ縦梁３３は、図５の断面と直交する方向（ＰＣａ柱２０の列方向）に延在されるものであって、図６の斜視図に示すように、長手方向両端から縦梁主筋の端部３３ａが突出し、上面に肋筋３３ｂが突出した構造を有する。
【００１７】
また、左右に並んだＰＣａ柱２０，２０上には、ＰＣａ縦梁３３と直交する方向に、図７（Ａ）（Ｂ）に示すようなＰＣａ横梁３１とＰＣａ張り出し梁３２，３２との連結体３０を架設する。ＰＣａ横梁３１は左右（長手方向）両端が左右に並んだＰＣａ柱２０，２０上に支持されるものであり、ＰＣａ張り出し梁３２はこのＰＣａ横梁３１の左右両側に前記ＰＣａ柱２０の上端位置と対応する空間Ｓを隔てて配置され基端が前記ＰＣａ柱２０上に支持されるものである。図８の斜視図にも示すように、ＰＣａ横梁３１は、長手方向両端から下部横梁主筋３０ａが突出し、上面から肋筋３０ｂが突出した構造を有するものであって、前記下部横梁主筋３０ａの両端が左右のＰＣａ張り出し梁３２に埋設されると共に、前記肋筋３０ｂの上端突出部を通して配設した上部横梁主筋３０ｃの両端が左右のＰＣａ張り出し梁３２，３２に埋設され、これによってＰＣａ横梁３１とＰＣａ張り出し梁３２，３２が一体的に連結されているものである。
【００１８】
ＰＣａ張り出し梁３２には、後述するＰＣａ張り出しスラブ３５の両端を掛合支持するための段差部３２ａが形成されている。また、図７（Ｂ）に示すＰＣａ横梁３１及びＰＣａ張り出し梁３２は高架橋の施工単位における両端位置に設けられるもので、すなわち図７，図８（Ｂ）に示すＰＣａ横梁３１には、図７，図８（Ａ）に示す一般形状のものと異なり、同図（Ｂ）に示すように、他の施工単位と連結するための凸段部３１ａが形成されている。
【００１９】
ＰＣａ横梁３１とＰＣａ張り出し梁３２，３２の連結体３０を架設するに際しては、予め前記ＰＣａ張り出し梁３２，３２を添え材としてのＨ型鋼５にワイヤ等により拘束する。すなわち図５に示す工程では、Ｈ型鋼５には左右のＰＣａ張り出し梁３２，３２を拘束し、このＨ型鋼５を吊りビーム６の両端から下垂された一対の玉掛けワイヤ６ａで玉掛けし、ＰＣａ横梁３１を吊りビーム６の中間部から下垂された一対の玉掛けワイヤ６ｂで玉掛けし、吊りビーム６を介して吊り上げる。玉掛けワイヤ６ａ，６ｂの長さは、ＰＣａ横梁３１と、Ｈ型鋼５に拘束されたＰＣａ張り出し梁３２が相対変位することなく図７に示す連結形状を保持しつつ吊り上げられるように規定されている。
【００２０】
上述のようにして揚重したＰＣａ横梁３１とＰＣａ張り出し梁３２，３２の連結体３０は、空間ＳがそれぞれＰＣａ柱２０の上に一致するように位置決めして吊り下ろす。これによって、前記ＰＣａ横梁３１の両端部及びＰＣａ張り出し梁３２の基端部は、それぞれ前記ＰＣａ柱２０の上端に支持されると共に、前記ＰＣａ柱２０の上端から突出した柱主筋２２の上端部２２ｂ及びＰＣａ縦梁３３の縦梁主筋の端部３３ａが相対的に前記空間Ｓ内へ侵入し、前記空間Ｓ内の下部横梁主筋３０ａ及び上部横梁主筋３０ｃと交差する。前記連結体３０をＰＣａ柱２０上に吊り下ろしたら、玉掛けワイヤ６ａ，６ｂによるＨ型鋼５及びＰＣａ横梁３１の玉掛け状態を解除し、クレーンによって吊りビーム６を回送して、次の連結体３０の揚重・搬送を行う。
【００２１】
ＰＣａ柱２０上での連結体３０の架設状態においては、ＰＣａ張り出し梁３２，３２がＨ型鋼５によって支保されているため、図１８及び図１９に示す従来技術のような支保工２０８の構築は不要である。また、支保工２０８の構築が不要となったことによって、基礎梁１の施工後の地盤Ｇの埋め戻し時期も特に規定する必要がなくなる。
【００２２】
ＰＣａ縦梁３３と、連結体３０の架設作業が終わったら、図９及び図１０に示すように、ＰＣａ柱２０の列方向に並んだＰＣａ横梁３１，３１間に板状のハーフＰＣａスラブ３４をクレーンによって吊り上げ、架設する。このハーフＰＣａスラブ３４の上面には、好ましくは、後述する後打ちコンクリート３６との接合性を向上させるための、例えば粗面が形成され、あるいは所要数のジベル筋が設けられる。
【００２３】
また、図１１及び図１２に示すように、ＰＣａ張り出しスラブ３５をクレーンによって吊り上げ、ＰＣａ柱２０の列方向に並んだＰＣａ張り出し梁３２，３２間にこれを架設する。ＰＣａ張り出しスラブ３５は図１３の斜視図に示すような形状を呈するものであって、ハーフＰＣａスラブ３４の上の後打ちコンクリート打設領域側に臨む端縁から多数の連結筋３５ａが突出しており、その架設に際しては、その長手方向両端部３５ｂが、前記ＰＣａ張り出し梁３２に形成された段差部３２ａ上に掛合支持される。なお、ハーフＰＣａスラブ３４上には、図１０に示すように所要の鉄筋３４ａを配筋する。
【００２４】
次に、各ＰＣａ柱２０上の、ＰＣａ横梁３１、ＰＣａ張り出し梁３２及びＰＣａ縦梁３３の端部に囲まれた空間Ｓ及びハーフＰＣａスラブ３４上に、図１１に多数の点々を付して示す後打ちコンクリート３６を打設する。このため、ＰＣａ柱２０と、ＰＣａ横梁３１及びＰＣａ張り出し梁３２と、ＰＣａ縦梁３３と、ハーフＰＣａスラブ３４と、ＰＣａ張り出しスラブ３５は、打設された後打ちコンクリート３６の経時的な硬化によって互いに一体接合される。このとき、ＰＣａ柱２０の上端に突設された柱主筋の上端部２２ｂと、このＰＣａ縦梁３３の両端から突出された縦梁主筋の端部３３ａが、横梁主筋３０ａ，３０ｃと共に、前記空間Ｓに充填された後打ちコンクリート３６に埋設一体化され、ハーフＰＣａスラブ３４上に打設された後打ちコンクリート３６と連続しているため、強固に接合一体化される。
【００２５】
上述した一連の工程によって構築された図１及び図２に示すビームスラブ型の高架橋は、スラブ３におけるスラブ本体部３ａがハーフＰＣａスラブ３４及びその上に打設された後打ちコンクリート３６によって形成され、スラブ３における左右両側の張り出し部３ｂ及び張り出し梁３ｅがそれぞれＰＣａ張り出しスラブ３５及びＰＣａ張り出し梁３２からなり、スラブ本体部３ａの下面の縦梁３ｃ及び横梁３ｄがそれぞれＰＣａ縦梁３３及びＰＣａ横梁３１からなり、前記後打ちコンクリート３６を介して一体化されたものである。
【００２６】
後打ちコンクリート３６が硬化した後は、ＰＣａ張り出し梁３２からＨ型鋼５を取り外すことによって、ＰＣａ張り出し梁３２の支保状態を解除する。
【００２７】
なお、上述の実施形態では、図５に示すＰＣａ横梁３１及びＰＣａ張り出し梁３２，３２の架設に際して、ＰＣａ張り出し梁３２，３２をＨ型鋼５に拘束し、ＰＣａ横梁３１はＨ型鋼５を介さずに玉掛けしているが、例えば前記ＰＣａ横梁３１及びＰＣａ張り出し梁３２，３２の双方をＨ型鋼５に拘束し、玉掛けはＨ型鋼５にのみ行うようにしても良い。また、後打ちコンクリート３６はハーフＰＣａスラブ３４上からＰＣａ張り出しスラブ３５上まで連続して打設するようにしても良い。
【００２８】
【発明の効果】
本発明によると、次のような効果が実現される。
(1) コンクリート打設のための型枠やその支保工、作業足場等の組み立て・撤去が不要であるため、省力化されると共に連続的な施工が可能となり、工期が著しく短縮される。
(2) 基礎梁とＰＣａ柱の柱主筋の接合をモルタル充填継手方式で行うため、柱の建て込み施工が容易で所要の耐力を得ることができる。
(3) スラブの張り出し部となるＰＣａ張り出し梁を添え材に拘束するため、このＰＣａ張り出し梁及びＰＣａ張り出しスラブを支持する支保工の構築が不要であり、このため基礎梁施工後の基礎地盤の埋め戻し時期が制約を受けない。
【図面の簡単な説明】
【図１】本発明に係る施工法を実施することにより構築される高架橋の概略構成を示す平面図である。
【図２】図１におけるII−II線に沿って切断した断面図である。
【図３】上記高架橋を構築するための本発明の一実施形態において、基礎梁上に所定間隔で並んだ左右２列のＰＣａ柱を建て込む工程を示す説明図である。
【図４】上記建て込み工程における基礎梁とＰＣａ柱の連結構造を示すもので、（Ａ）は概略構造説明図、（Ｂ）は（Ａ）におけるＢ矢視部の拡大図である。
【図５】上記実施形態において、ＰＣａ柱上にＰＣａ縦梁、ＰＣａ横梁及びＰＣａ張り出し梁を架設する工程を示す説明図である。
【図６】上記ＰＣａ縦梁の斜視図である。
【図７】上記ＰＣａ横梁及びＰＣａ張り出し梁の斜視図で、（Ａ）は一般形状のもの、（Ｂ）は施工単位の両端に設けられるものを示す。
【図８】上記ＰＣａ横梁の斜視図である。
【図９】上記実施形態において、ハーフＰＣａスラブを架設する工程を示す説明図である。
【図１０】図９におけるＸ−Ｘ’線に沿って切断した部分拡大断面図である。
【図１１】上記実施形態において、ＰＣａ張り出しスラブを架設する工程を示す説明図である。
【図１２】図１１におけるＸII−ＸII’線に沿って切断した部分拡大断面図である。
【図１３】上記ＰＣａ張り出しスラブの斜視図である。
【図１４】従来の施工法により構築される高架橋の概略構成を示す平面図である。
【図１５】図１４におけるＡ−Ａ’線に沿って切断した断面図である。
【図１６】従来の施工法において、基礎梁を施工する工程を示す説明図である。
【図１７】従来の施工法において、基礎梁上に所定間隔で並んだ左右２列のＰＣａ柱を建て込む工程を示す説明図である。
【図１８】従来の施工法において、ＰＣａ横梁等の架設工程を示すもので、（Ａ）は図１４のＡ−Ａ’位置に対応する部分での施工状況を示し、（Ｂ）は同Ｂ−Ｂ’位置に対応する部分での施工状況を示すものである。
【図１９】従来の施工法において、後打ちコンクリートを打設する工程を示すもので、（Ａ）は図１４のＡ−Ａ’位置に対応する部分での施工状況を示し、（Ｂ）は同Ｂ−Ｂ’位置に対応する部分での施工状況を示すものである。
【符号の説明】
１  基礎梁
５  Ｈ型鋼（添え材）
２０  ＰＣａ柱（ＰＣａコンクリート部材）
２１ａ  連結穴
２２  柱主筋
２３  無収縮モルタル
３０  ＰＣａ横梁とＰＣａ張り出し梁の連結体
３１  ＰＣａ横梁（ＰＣａコンクリート部材）
３２  ＰＣａ張り出し梁（ＰＣａコンクリート部材）
３２ａ  段差部
３３  ＰＣａ縦梁（ＰＣａコンクリート部材）
３４  ハーフＰＣａスラブ（ＰＣａコンクリート部材）
３５  ＰＣａ張り出しスラブ（ＰＣａコンクリート部材）
３６  後打ちコンクリート
【図１】
0003841493.tif 000002
【図２】
0003841493.tif 000003
【図３】
0003841493.tif 000004
【図４】
0003841493.tif 000005
【図５】
0003841493.tif 000006
【図６】
0003841493.tif 000007
【図７】
0003841493.tif 000008
【図８】
0003841493.tif 000009
【図９】
0003841493.tif 000010
【図１０】
0003841493.tif 000011
【図１１】
0003841493.tif 000012
【図１２】
0003841493.tif 000013
【図１３】
0003841493.tif 000014
【図１４】
0003841493.tif 000015
【図１５】
0003841493.tif 000016
【図１６】
0003841493.tif 000017
【図１７】
0003841493.tif 000018
【図１８】
0003841493.tif 000019
【図１９】
0003841493.tif 000020